(57)【要約】【課題】データの転送先となる記憶媒体の容量を効率的に使いつつ、記憶媒体へのデータの転送を容易に行うことができるようにする。【解決手段】録画機器からの番組のデータのいわば持ち出しに用いられるメモリカード２の記憶領域全体は複数の領域に分割され、それぞれの領域に番組のデータを記憶することが可能とされる。ユーザは、例えば、Area１を選択することによって、録画予約が設定された番組のリストから選択した番組の転送先としてArea１を指定することができる。また、未定義の領域を選択することによって、その未定義の領域をさらに複数の領域に分割することができ、分割することによって新たに形成された領域を番組の転送先として指定することができる。本発明は、外部の機器にデータを転送する録画機器に適用することができる。【選択図】図２
2007156804.tif 000002
【特許請求の範囲】
【請求項１】
データの転送先となる記憶媒体の記憶領域をユーザによる指示に応じて複数の領域に分割して管理する領域管理手段と、
前記領域管理手段により分割して管理される複数の前記領域のそれぞれに対するデータの転送予約を設定する設定手段と、
前記設定手段により設定された前記転送予約にしたがって、複数の前記領域にデータを転送して記憶させる転送手段と
を備える情報管理装置。
【請求項２】
転送予約の設定に用いられる設定画面を表示させる表示制御手段をさらに備え、
前記設定手段は、前記表示制御手段により表示された前記設定画面に対するユーザの入力に応じて、複数の前記領域のそれぞれに対するデータの転送予約を設定する
請求項１に記載の情報管理装置。
【請求項３】
転送対象となるデータを取得する取得手段をさらに備え、
前記設定手段は、前記領域管理手段により分割された１つの前記領域を転送先として、前記取得手段により取得されるタイミングの異なる複数のデータの転送予約を設定し、
前記表示制御手段は、さらに、取得されるタイミングの異なる複数の前記データに関する情報として、転送先として設定された１つの前記領域に記憶させておくことができる期間を前記設定画面に表示させる
請求項２に記載の情報管理装置。
【請求項４】
前記設定手段は、前記領域管理手段により分割された複数の前記領域のうちの所定の領域を転送対象となるデータのデータ量に基づいて選択し、選択した領域を転送先とする転送予約を設定する
請求項１に記載の情報管理装置。
【請求項５】
前記領域管理手段は、データの転送先となる記憶媒体に設定された識別情報と対応付けて、それぞれの記憶媒体の記憶領域に形成された領域を管理する
請求項１に記載の情報管理装置。
【請求項６】
前記領域管理手段は、記憶領域に形成された領域の情報を前記記憶媒体から取得して管理する
請求項１に記載の情報管理装置。
【請求項７】
データの転送先となる記憶媒体の記憶領域をユーザによる指示に応じて複数の領域に分割して管理し、
分割して管理する複数の前記領域のそれぞれに対するデータの転送予約を設定し、
設定した前記転送予約にしたがって、複数の前記領域にデータを転送して記憶させる
ステップを含む情報管理方法。
【請求項８】
データの転送先となる記憶媒体の記憶領域をユーザによる指示に応じて複数の領域に分割して管理し、
分割して管理する複数の前記領域のそれぞれに対するデータの転送予約を設定し、
設定した前記転送予約にしたがって、複数の前記領域にデータを転送して記憶させる
ステップを含む処理をコンピュータに実行させるプログラム。
【発明の詳細な説明】
【技術分野】
【０００１】
本発明は、情報管理装置および方法、並びにプログラムに関し、特に、データの転送先となる記憶媒体の容量を効率的に使いつつ、記憶媒体へのデータの転送を容易に行うことができるようにした情報管理装置および方法、並びにプログラムに関する。
【背景技術】
【０００２】
近年普及しているハードディスク内蔵の録画機器の中には、録画済みの番組のデータを携帯型のプレーヤなどの他の機器に転送する機能が搭載されているものがある。例えば、番組のデータの転送は、録画機器とプレーヤの双方に着脱可能なメモリカードを介して行われたり、録画機器とプレーヤがケーブルなどを介して直接接続されることによって行われる。
【０００３】
前者の場合、ユーザは、メモリカードをまず録画機器のスロットに挿入し、録画機器により表示される画面上で録画済みの番組のデータの中から転送するデータを選択することによって番組のデータをメモリカードに記憶させる。ユーザは、番組のデータが記憶されたメモリカードを録画機器から抜き、プレーヤのスロットに挿入することで、そのプレーヤに設けられるディスプレイ上で番組を視聴することができる。
【０００４】
このようにしてデータの転送が行われる場合、転送するデータをユーザが手動で選択する必要があることから、そのような手間を省くためにデータの転送を自動化した技術が各種提案されている。例えば、録画機器に記憶されている転送対象のデータと、メモリカードに記憶されている転送済みのデータのファイル名や日付などの情報に基づいてまだ転送されていないデータだけを自動的に転送する技術や、ユーザにより設定された優先度に基づいて優先度順にデータを自動的に転送する技術がある。
【０００５】
また、特許文献１には、録画機器により表示される画面から、録画する番組の予約の他に、番組のデータの転送をも予約することができるようにした技術が開示されている。この技術によれば、ユーザは、番組の録画予約のときに転送の予約も設定することができ、録画済みの番組の中から選択するなどの操作を行うことなく、番組のデータの転送を行うことができる。
【特許文献１】特開２００５−１０９６０４号公報
【発明の開示】
【発明が解決しようとする課題】
【０００６】
しかしながら、データの転送が上述したようにして自動的に行われる場合、転送先となるメモリカードの記憶容量に対して自動転送の対象とするデータの量が多いときには、記憶容量を超える分のデータの転送が行われずに失敗したり、データの上書きが行われて、ユーザの意図しないデータが消去されてしまったりする。
【０００７】
とはいえ、データの上書きが行われずに、ユーザにより手動で消去されるまで、一度記憶されたデータがメモリカードに記憶され続けるものとすると、消去する操作が煩雑となる。
【０００８】
また、１つのメモリカードに１つのデータしか記憶させることができないものとすると、メモリカードの記憶容量と自動転送の対象とする１つのデータの量によっては、メモリカードの記憶容量を効率的に使うことができないといったことが起こりうる。例えば、所定の転送レートで１時間分の番組のデータを記憶させることができるだけの容量があるにもかかわらず、そのメモリカードに３０分の番組のデータを記憶させた場合、残りの半分の容量は効率的に使われていないことになる。
【０００９】
本発明はこのような状況に鑑みてなされたものであり、データの転送先となる記憶媒体の容量を効率的に使いつつ、記憶媒体へのデータの転送を容易に行うことができるようにするものである。
【課題を解決するための手段】
【００１０】
本発明の一側面の情報管理装置は、データの転送先となる記憶媒体の記憶領域をユーザによる指示に応じて複数の領域に分割して管理する領域管理手段と、前記領域管理手段により分割して管理される複数の前記領域のそれぞれに対するデータの転送予約を設定する設定手段と、前記設定手段により設定された前記転送予約にしたがって、複数の前記領域にデータを転送して記憶させる転送手段とを備える。
【００１１】
転送予約の設定に用いられる設定画面を表示させる表示制御手段をさらに設けることができる。この場合、前記設定手段には、前記表示制御手段により表示された前記設定画面に対するユーザの入力に応じて、複数の前記領域のそれぞれに対するデータの転送予約を設定させることができる。
【００１２】
転送対象となるデータを取得する取得手段をさらに設けることができる。この場合、前記設定手段には、前記領域管理手段により分割された１つの前記領域を転送先として、前記取得手段により取得されるタイミングの異なる複数のデータの転送予約を設定させ、前記表示制御手段には、さらに、取得されるタイミングの異なる複数の前記データに関する情報として、転送先として設定された１つの前記領域に記憶させておくことができる期間を前記設定画面に表示させることができる。
【００１３】
前記設定手段には、前記領域管理手段により分割された複数の前記領域のうちの所定の領域を転送対象となるデータのデータ量に基づいて選択し、選択した領域を転送先とする転送予約を設定させることができる。
【００１４】
前記領域管理手段には、データの転送先となる記憶媒体に設定された識別情報と対応付けて、それぞれの記憶媒体の記憶領域に形成された領域を管理させることができる。
【００１５】
前記領域管理手段には、記憶領域に形成された領域の情報を前記記憶媒体から取得して管理させることができる。
【００１６】
本発明の一側面の情報管理方法またはプログラムは、データの転送先となる記憶媒体の記憶領域をユーザによる指示に応じて複数の領域に分割して管理し、分割して管理する複数の前記領域のそれぞれに対するデータの転送予約を設定し、設定した前記転送予約にしたがって、複数の前記領域にデータを転送して記憶させるステップを含む。
【００１７】
本発明の一側面においては、データの転送先となる記憶媒体の記憶領域がユーザによる指示に応じて複数の領域に分割して管理され、分割して管理される複数の領域のそれぞれに対するデータの転送予約が設定される。また、設定された転送予約にしたがって、複数の領域にデータを転送して記憶させることが行われる。
【発明の効果】
【００１８】
本発明の一側面によれば、データの転送先となる記憶媒体の容量を効率的に使いつつ、記憶媒体へのデータの転送を容易に行うことができる。
【発明を実施するための最良の形態】
【００１９】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００２０】
本発明の一側面の情報管理装置（例えば、図１の録画機器１）は、データの転送先となる記憶媒体の記憶領域をユーザによる指示に応じて複数の領域に分割して管理する領域管理手段（例えば、図９の領域管理部４５）と、前記領域管理手段により分割して管理される複数の前記領域のそれぞれに対するデータの転送予約を設定する設定手段（例えば、図９の転送予約設定部４４）と、前記設定手段により設定された前記転送予約にしたがって、複数の前記領域にデータを転送して記憶させる転送手段（例えば、図９の転送実行部４６）とを備える。
【００２１】
この情報管理装置には、転送予約の設定に用いられる設定画面を表示させる表示制御手段（例えば、図９の表示制御部４１）をさらに設けることができる。
【００２２】
転送対象となるデータを取得する取得手段（例えば、図９の番組データ取得部４３）をさらに設けることもできる。
【００２３】
本発明の一側面の情報管理方法またはプログラムは、データの転送先となる記憶媒体の記憶領域をユーザによる指示に応じて複数の領域に分割して管理し、分割して管理する複数の前記領域のそれぞれに対するデータの転送予約を設定し、設定した前記転送予約にしたがって、複数の前記領域にデータを転送して記憶させるステップ（例えば、図１４のステップＳ２２）を含む。
【００２４】
以下、本発明の実施の形態について図を参照して説明する。
【００２５】
図１は、本発明の一実施形態に係る情報管理装置としての録画機器１を示す図である。
【００２６】
図１に示されるように、録画機器１には、LCD(Liquid Crystal Display)などよりなるディスプレイ５がケーブル４を介して接続される。ディスプレイ５には、後述するような各種の画面が録画機器１により表示される。
【００２７】
録画機器１は、ハードディスクなどの記憶媒体を内蔵し、その内蔵する記憶媒体にテレビジョン放送の番組を記憶（録画）する機能を有する。すなわち、録画機器１には図示せぬアンテナなども接続されている。
【００２８】
また、録画機器１は、録画済みの番組のデータを所定のフォーマットのデータに変換し、変換して得られた番組のデータを、筐体表面に形成されるスロットに挿入されたメモリカード２に転送して記憶させる機能を有する。
【００２９】
これにより、録画機器１のユーザは、図１の実線矢印で示されるように、録画済みの番組のデータが記憶されたメモリカード２を録画機器１のスロットから抜き、携帯端末３のスロットに挿入することで、携帯端末３のディスプレイ上で番組を視聴することができる。携帯端末３は、メモリカード２に記憶されている番組のデータを再生し、番組の画像を表示させる機能を有するゲーム機などの携帯型の端末である。携帯端末３においては、番組の画像の表示に合わせて音声の出力も行われる。
【００３０】
このように、録画機器１からの番組のデータのいわば持ち出しに用いられるメモリカード２の記憶領域全体は、複数の領域に分割され、それぞれの領域に番組のデータを記憶することができるようになされている。
【００３１】
図２は、メモリカード２に形成される領域の例を示す図である。図２に示されるそれぞれの領域は、例えば、論理的に区切られたものである。
【００３２】
図２の例においては、メモリカード２の記憶容量は全体で１GBとされ、その記憶領域にはArea１乃至３の３つの領域が形成されている。また、Area１乃至３以外の領域は空き領域とされ、各種のデータを記憶するために使用される領域とされている。
【００３３】
図２のArea１乃至３は、ユーザによる指示に応じて分割され、形成されたものであり、それぞれの領域（Area）には、ユーザにより設定された予約にしたがって録画機器１により転送された番組のデータが記憶される。すなわち、ユーザは、メモリカード２の記憶領域全体を好みの容量の領域毎に分割することができ、それぞれの領域に、好みの番組を自動的に転送させることができる。
【００３４】
図３は、データの転送の予約を設定するときにディスプレイ５に表示される画面の例を示す図である。
【００３５】
図３の左側に示される画面は、録画機器１により取得されたEPG(Electronic Program Guide)に基づいて表示される番組表の画面である。番組表には、それぞれのチャンネルでそれぞれの時間帯に放送される番組のタイトルや出演者の情報などが表示される。
【００３６】
例えば、このような番組表の画面において所定の番組が選択され、その番組に対してユーザが行うことができる操作の一覧が表示されるサブメニューＳから録画予約の項目が選択されたとき、矢印Ａ1の先の画面に示されるように、番組表から選択された番組は、録画予約が設定された番組としてリストに登録される。図３の例においては、番組表から「番組１」が選択され、その「番組１」が録画予約が設定された番組のリストに登録されている。
【００３７】
録画予約が設定された番組のリストから１つの番組を選択した状態で所定の操作が行われたとき、矢印Ａ1の先の画面に示されるように、ディスプレイ５には、選択した１つの番組のデータの転送予約を設定する転送予約画面が表示される。録画予約が設定された番組が実際に放送され、番組の録画が録画機器１において行われたとき、転送予約画面から設定された転送予約にしたがって、録画済みの番組のデータがメモリカード２に転送される。
【００３８】
図３の例においては、録画予約が設定された番組のリストから「番組１」が選択され、「番組１」のデータの転送の予約を設定する転送予約画面が表示されている。
【００３９】
図４は、図３の転送予約画面を拡大して示す図である。
【００４０】
図４の転送予約画面の例においては、「転送先のAreaを選択してください。」のメッセージが表示され、そのメッセージの下には、転送先がメモリカード２であることと、メモリカード２の記憶容量全体が１GBであり、番組の転送先の領域として定義されていない未定義の領域が３５５MB分あることが表示されている。
【００４１】
また、画面のほぼ中央には、メモリカード２の記憶領域を表す帯状の四角が表示され、メモリカード２には番組のデータの転送先となるArea１とArea２の２つの領域が形成されていることが示されている。
【００４２】
ユーザは、この帯状の表示からArea１を選択することによって、録画予約が設定された番組のリストから選択した「番組１」の転送先としてArea１を指定することができ、Area２を選択することによって「番組１」の転送先としてArea２を指定することができる。また、ユーザは、未定義の領域を選択することによって、その３５５MB分の領域をさらに複数の領域に分割することができ、分割することによって新たに形成された領域を「番組１」の転送先として指定することができる。
【００４３】
それぞれの領域を表す表示の下には、領域に割り当てられた記憶容量と、所定の転送レートで番組のデータを記憶させた場合の記憶可能時間が表示されている。図４の例においては、２１５MBの記憶容量が割り当てられたArea１には所定の転送レートで３０分（３０min）の番組のデータを記憶することができ、４３０MBの記憶容量が割り当てられたArea２には所定の転送レートで１時間（１ｈ）の番組のデータを記憶することができるものとされている。
【００４４】
このように、それぞれの領域に記憶させることができる時間が表示されるから、ユーザは、転送対象の番組として選択した「番組１」の放送時間が３０分の場合、Area１を転送先として選択することによって、３０分ぶんのデータを記憶することができる領域に３０分の番組のデータを記憶させることができ、「番組１」の放送時間が１時間の場合、Area２を転送先として選択することによって、１時間分のデータを記憶することができる領域に１時間の番組のデータを記憶させることができる。すなわち、ユーザは、転送対象とする番組に必要十分な容量の領域を転送先として選択することができ、メモリカード２の記憶容量を効率的に使うことができる。
【００４５】
また、放送時間が１時間の番組の転送先として１０分の番組のデータしか記憶することができない領域を転送予約の設定時に選択してしまい、転送が失敗するといったことも防止することができる。
【００４６】
なお、ユーザが番組のデータの転送レートを変更したとき、それぞれの領域に記憶することができる時間の表示は、変更後の転送レートでの記憶可能時間を表すように更新される。
【００４７】
図５は、図４の状態で、番組のデータの転送先としてArea２を選択したときに表示される画面の例を示す図である。
【００４８】
メモリカード２の記憶領域を表す帯状の表示からユーザがカーソルをあてるなどしてArea２を選択したとき、図５に示されるように、その帯状の表示の下には、ユーザが選択したArea２を転送先とする番組のリスト（転送予約リスト）が表示される。番組のリストの下には、転送予約を確定するときに操作される「確定ボタン」が表示され、転送予約を中止するときに操作される「中止ボタン」が表示される。
【００４９】
図５の転送予約リストには、毎系の転送予約（毎日のある時間帯、毎週のある時間帯などのように、決まった周期で放送される番組の転送予約）が設定された番組（タイトル）のリストが表示されている。
【００５０】
図５の例において、タイトルＡは、毎週月曜日の午後９時にメモリカード２のArea２への転送が開始される、放送時間が１時間の番組であり、タイトルＢは、毎週水曜日の午後１０時にメモリカード２のArea２への転送が開始される、放送時間が１時間の番組である。また、タイトルＤは、毎週金曜日の午後９時にメモリカード２のArea２への転送が開始される、放送時間が１時間の番組であり、タイトルＣは、毎週土曜日の午後７時３０分にメモリカード２のArea２への転送が開始される、放送時間が３０分の番組である。例えば、メモリカード２への転送はハードディスクへの番組の録画と並行して行われる。
【００５１】
タイトルＤの左隣には、そのタイトルＤが、Area２を転送先とする番組として新たに追加された番組（上述した「番組１」）であることを表すマークが表示されている。
【００５２】
このような番組の転送予約が設定されている場合、それぞれの番組のデータは、番組の放送が開始されたときにArea２に記憶されているデータに上書きされる形でメモリカード２のArea２に記憶されるから、月曜日を基準として、タイトルＡは、月曜日の午後９時から、次の番組であるタイトルＢの放送開始時刻である水曜日の午後１０時までの２日間（月曜日、火曜日）だけArea２に保存され続け、タイトルＢは、水曜日の午後１０時から、次の番組であるタイトルＤの放送開始時刻である金曜日の午後９時までの２日間（水曜日、木曜日）だけArea２に保存され続ける。
【００５３】
同様に、タイトルＤは、金曜日の午後９時から、次の番組であるタイトルＣの放送開始時刻である土曜日の午後７時３０分までの１日間（金曜日）だけArea２に保存され続け、タイトルＤは、土曜日の午後７時３０分から、次の番組であるタイトルＡの放送開始時刻である月曜日の午後９時までの２日間（土曜日、日曜日）だけArea２に保存され続ける。
【００５４】
図５の転送予約が設定された番組のリストには、そのことを表す予定保存期間が、それぞれの番組の情報として転送予約リストの右端に表示されている。ユーザは、予定保存期間の表示から、それぞれの番組がメモリカード２のArea２にいつ転送され、いつまでに視聴すればよいのかを容易に確認することができる。また、ユーザは、転送対象にするものとして選択している番組の放送曜日や時間帯から、どの領域を転送先とすればよいのかを容易に確認することができる。
【００５５】
例えば、メモリカード２の領域を表す帯状の表示からユーザがArea１を選択したとき、同様にして、Area１を転送先とする番組のリストが表示される。
【００５６】
また、図５の例においては、Area２の有効利用度が８５％として表示されている。この表示から、ユーザは、それぞれの領域が有効に利用されるように転送先を選択することができる。有効利用度は、そのパーセンテージが高い方が、メモリカード２の領域が有効に利用されていることを表す。
【００５７】
ここで、予定保存期間と有効利用度の求め方の例について説明する。
【００５８】
図６は、メモリカード２に形成されるArea１の予定保存期間と有効利用度の求め方について説明する図である。
【００５９】
所定の転送レートで、放送時間が３０分の番組のデータを記憶可能な領域であるArea１を転送先として、例えば、図６に示されるように、月曜日の所定の時刻にArea１への転送が開始される、放送時間が３０分の番組であるタイトルａ、木曜日の所定の時刻にArea１への転送が開始される、放送時間が３０分の番組であるタイトルｂ、および、日曜日の所定の時刻にArea１への転送が開始される、放送時間が３０分の番組であるタイトルｃが予約されている場合、月曜日を基準として、タイトルａは、月曜日から、次の番組であるタイトルｂが放送される木曜日までArea１に保存され続けるから、タイトルａの予定保存期間は３日間（月曜日、火曜日、水曜日）となる。
【００６０】
また、タイトルｂは、木曜日から、次の番組であるタイトルｃが放送される日曜日までArea１に保存され続けるから、タイトルｂの予定保存期間は３日間（木曜日、金曜日、土曜日）となり、タイトルｃは、日曜日から、次の番組であるタイトルａが放送される月曜日までArea１に保存され続けるから、タイトルｃの予定保存期間は１日間（日曜日）となる。
【００６１】
この場合、Area１の有効利用度は、例えば、Area１に記憶可能な番組の時間（３０分）を１として表される、月曜日から日曜日までのそれぞれの曜日にデータが保存される番組の放送時間の１週間分（７日分）の和を、１週間の日数である７で割った値で表されるから、下式（１）で表されるように１００％（１．００）となる。
【００６２】
【数１】
2007156804.tif 000003
【００６３】
式（１）の左辺の分子に並ぶ値のうち、左から１つ目の「１」は、月曜日に、放送時間が３０分の番組（タイトルａ）のデータがArea１に保存されていることを表し、２つ目の「１」は、火曜日に、放送時間が３０分の番組（タイトルａ）のデータがArea１に保存されていることを表す。
【００６４】
同様に、左から３つ目の「１」は、水曜日に、放送時間が３０分の番組（タイトルａ）のデータがArea１に保存されていることを表し、４つ目の「１」は、木曜日に、放送時間が３０分の番組（タイトルｂ）のデータがArea１に保存されていることを表す。左から５つ目の「１」は、金曜日に、放送時間が３０分の番組（タイトルｂ）のデータがArea１に保存されていることを表し、６つ目の「１」は、土曜日に、放送時間が３０分の番組（タイトルｂ）のデータがArea１に保存されていることを表し、７つ目の「１」は、日曜日に、放送時間が３０分の番組（タイトルｃ）のデータがArea１に保存されていることを表す。
【００６５】
図７は、Area２の予定保存期間と有効利用度の求め方について説明する図である。図７に示される転送対象の番組は、図５の画面に表示されているものと同じである。
【００６６】
所定の転送レートで、放送時間が１時間の番組のデータを記憶可能な領域であるArea２を転送先として、例えば、図７の上に示されるように、月曜日の所定の時刻にArea２への転送が開始される、放送時間が１時間の番組であるタイトルＡ、水曜日の所定の時刻にArea２への転送が開始される、放送時間が１時間の番組であるタイトルＢ、および、土曜日の所定の時刻にArea２への転送が開始される、放送時間が３０分の番組であるタイトルＣが予約されている場合、上述したように、月曜日を基準として、タイトルＡは、月曜日から、次の番組であるタイトルＢが放送される水曜日までArea２に保存され続けるから、タイトルＡの予定保存期間は２日間（月曜日、火曜日）となる。
【００６７】
また、タイトルＢは、水曜日から、次の番組であるタイトルＣが放送される土曜日までArea２に保存され続けるから、タイトルＢの予定保存期間は３日間（水曜日、木曜日、金曜日）となり、タイトルＣは、土曜日から、次の番組であるタイトルＡが放送される月曜日までArea２に保存され続けるから、タイトルＣの予定保存期間は２日間（土曜日、日曜日）となる。
【００６８】
この場合、Area２の有効利用度は、例えば、Area２に記憶可能な番組の時間（１時間）を１として表される、月曜日から日曜日までのそれぞれの曜日にデータが保存される番組の放送時間の１週間分（７日分）の和を、１週間の日数である７で割った値で表されるから、下式（２）で表されるように８５％（０．８５）となる。
【００６９】
【数２】
2007156804.tif 000004
【００７０】
式（２）の左辺の分子に並ぶ値のうち、左から１つ目の「１」は、月曜日に、放送時間が１時間の番組（タイトルＡ）のデータがArea２に保存されていることを表し、２つ目の「１」は、火曜日に、放送時間が１時間の番組（タイトルＡ）のデータがArea２に保存されていることを表す。
【００７１】
同様に、左から３つ目の「１」は、水曜日に、放送時間が１時間の番組（タイトルＢ）のデータがArea２に保存されていることを表し、４つ目の「１」は、木曜日に、放送時間が１時間の番組（タイトルＢ）のデータがArea２に保存されていることを表す。左から５つ目の「１」は、金曜日に、放送時間が１時間の番組（タイトルＢ）のデータがArea２に保存されていることを表し、６つ目の「０．５」は、土曜日に、放送時間が３０分の番組（タイトルＣ）のデータがArea２に保存されていることを表し、７つ目の「０．５」は、日曜日に、放送時間が３０分の番組（タイトルＣ）のデータがArea２に保存されていることを表す。
【００７２】
例えば、図７の上に示されるような番組のデータの転送予約が設定されている状態で、金曜日の所定の時刻にArea２への転送が開始される、放送時間が１時間の番組であるタイトルＤの転送予約が追加して設定された場合、図７の白抜き矢印の先に示されるように、タイトルＢの予定保存期間は１日間減って、新たに追加されたタイトルＤの予定保存期間として割り当てられる。
【００７３】
すなわち、タイトルＢは、水曜日から、次の番組であるタイトルＤが放送される金曜日までArea２に保存され続けることになり、タイトルＢの予定保存期間は２日間（水曜日、木曜日）となる。また、タイトルＤは、金曜日から、次の番組であるタイトルＣが放送される土曜日までArea２に保存され続けるから、タイトルＤの予定保存期間は１日間（金曜日）となる。
【００７４】
この場合、Area２の有効利用度は上式（２）より８５％（０．８５）として求められる。
【００７５】
以上のような画面を表示し、番組のデータの転送を行う録画機器１の処理については後述する。
【００７６】
図８は、録画機器１のハードウエア構成例を示すブロック図である。
【００７７】
CPU(Central Processing Unit)１１は、コントローラ１２を介して、ROM(Read Only Memory)１３に記憶されたプログラムや、HDD(Hard Disk Drive)２５からRAM(Random Access Memory)１４にロードされたプログラムを実行し、リモートコントローラなどを用いて行われるユーザの操作に応じて、バス１５および２４に接続されている各部の動作を制御する。
【００７８】
チューナ部１７は、CPU１１による制御に従って、アンテナ１６からの放送信号を受信、復調し、所定のチャンネルで放送されるトランスポートストリームを、バス１５を介してデスクランブラ１８に出力する。
【００７９】
デスクランブラ１８は、カードI/F(Interface)１９に挿入されたCASカード２０に記憶されているデータを用いてスクランブルを解くキーを生成し、チューナ部１７から供給されたトランスポートストリームのスクランブルを解除する。デスクランブラ１８によりスクランブルが解除されたトランスポートストリームは、例えば、バス１５を介してデマルチプレクサ２１に供給される。
【００８０】
カードI/F１９は、CASカード２０から読み出したデータをバス１５を介してデスクランブラ１８に供給する。
【００８１】
デマルチプレクサ２１は、CPU１１による制御に従って、デスクランブラ１８から供給されたトランスポートストリームから所定のストリームを抽出し、抽出したストリームを構成するパケットをバス１５上に、または、オーディオデコーダ２２、ビデオデコーダ２３に出力する。デマルチプレクサ２１により得られたパケットからなるコンテンツは、例えば、バス１５、コントローラ１２、およびバス２４を介してHDD２５に供給され、記録される。
【００８２】
また、デマルチプレクサ２１は、トランスポートストリームから抽出したPSI/SI(Program Specific Information/Service Information)などのコンテンツの属性情報をバス１５、およびコントローラ１２を介してCPU１１に出力する。
【００８３】
オーディオデコーダ２２は、デマルチプレクサ２１から供給されたオーディオデータ（オーディオパケット）をデコードし、得られたオーディオデータを図示せぬオーディオ出力端子から出力する。オーディオ出力端子から出力されたオーディオデータは、例えば、録画機器１と接続されるディスプレイ５に出力され、そのスピーカからオーディオデータに対応する音声が出力される。
【００８４】
ビデオデコーダ２３は、デマルチプレクサ２１から供給されたビデオデータ（ビデオパケット）をデコードし、得られたビデオデータを図示せぬビデオ出力端子から出力する。ビデオ出力端子から出力されたビデオデータは、例えば、録画機器１と接続されるディスプレイ５に出力され、ビデオデータに対応する画像が表示される。
【００８５】
HDD２５は、バス２４を介して供給されたコンテンツ（番組のデータ）を記録する。HDD２５に記録された番組のデータは、CPU１１による制御に従って適宜読み出され、メモリカード２への転送に用いられる。
【００８６】
ドライブ２６は、装着されたDVD(Digital Versatile Disc)２７やBlu-ray Disk（商標）２８などの光ディスクを駆動することにより、または、記録装置１の筐体に形成されたスロットに挿入されたメモリカード２を駆動することにより、バス２４を介して供給されたデータをそれらの記録メディアに記録し、また、それらの記録メディアに記録されているデータを読み出してバス２４上に出力する。
【００８７】
通信部２９は、IEEE(Institute of Electrical and Electronics Engineers)1394ケーブルを介して接続される携帯端末３などの外部機器と通信を行い、例えば、バス２４を介して供給されたコンテンツを、その外部機器に出力する。
【００８８】
図９は、録画機器１の機能構成例を示すブロック図である。図９に示す構成の少なくとも一部は、図８のCPU１１により所定のプログラムが実行されることで実現される。
【００８９】
図９に示されるように、録画機器１においては、表示制御部４１、DB４２、番組データ取得部４３、転送予約設定部４４、領域管理部４５、および転送実行部４６が実現される。
【００９０】
表示制御部４１は、DB４２に記憶されている情報に基づいて各種の画面をディスプレ５に表示させる。例えば、DB４２には、EPG、録画予約の設定内容を表す情報、転送予約の設定内容を表す情報が記憶されており、それぞれの情報に基づいて、図３の左側、中央、右側の画面が表示される。
【００９１】
DB４２は、EPG、録画予約の設定内容を表す情報、転送予約設定部４４から供給される転送予約の設定内容を表す情報の他に、番組のデータなども記憶する。番組のデータは番組データ取得部４３から供給されるものであり、適宜、転送実行部４６により読み出されてメモリカード２への転送に用いられる。
【００９２】
番組データ取得部４３は、あらかじめ設定された録画予約にしたがってHDD２５への番組の録画が開始されたとき、その番組のデータを取得し、DB２５に記憶させる。
【００９３】
転送予約設定部４４は、録画予約が設定された番組のリストから転送対象にするものとして選択された番組の情報を取得し、ユーザによる指示に応じて、メモリカード２のどの領域にどの番組のデータを転送するのかを表す、転送予約の内容を表す情報をDB４２に記憶させる。メモリカード２に形成された領域の情報は、領域管理部４５によりDB４２に記憶されており、それが転送予約設定部４４により参照される。
【００９４】
領域管理部４５は、ユーザによる指示に応じてメモリカード２の記憶領域を複数の領域に分割し、メモリカード２に形成されたそれぞれの領域の容量などを表す管理データを生成する。領域管理部４５により生成された管理データはDB４２に供給され、記憶される。
【００９５】
図１０は、管理データの管理形態の例を示す図である。
【００９６】
図１０は、領域管理部４５により生成された管理データと、メモリカード２に設定されたID情報が対応付られけて録画機器１に保持されている形態を示す。この場合、例えば、番組のデータの転送先となるメモリカード２がスロットに挿入されたとき、ID情報がメモリカード２から取得され、取得されたID情報に対応付けられて管理されている管理データが、メモリカード２に形成されている領域の情報を画面に表示したり、転送予約を設定したりするときに参照される。
【００９７】
図１１は、管理データの管理形態の他の例を示す図である。
【００９８】
図１１は、領域管理部４５により生成された管理データがメモリカード２に保持されている形態を示す。この場合、例えば、番組のデータの転送先となるメモリカード２がスロットに挿入されたとき、管理データがメモリカード２から取得され、取得された管理データが、メモリカード２に形成されている領域の情報を画面に表示したり、転送予約を設定したりするときに録画機器１において参照される。
【００９９】
図９の説明に戻り、転送実行部４６は、DB４２に記憶されている転送予約の設定内容を表す情報を参照し、設定されている転送予約にしたがって、番組のデータをDB４２から読み出す。転送実行部４６は、読み出した番組のデータをドライブ２６を制御してメモリカード２に転送し、記憶させる。
【０１００】
次に、以上のような構成を有する録画機器１の処理について説明する。
【０１０１】
はじめに、図１２のフローチャートを参照して、録画機器１の領域管理処理について説明する。この処理は、例えば、図４に示されるような転送予約画面が表示されている状態で行われる。
【０１０２】
ステップＳ１において、領域管理部４５は、ユーザによる指示に応じてメモリカード２の記憶領域を複数の領域に分割する。例えば、転送予約画面に表示されているメモリカード２の未定義の領域が選択され、新たに作成する領域に割り当てる容量などが指示されたとき、それが領域管理部４５により受け付けられ、ユーザにより指示された容量の領域が形成されるように未定義の領域が複数の領域に分割される。
【０１０３】
ステップＳ２において、領域管理部４５は、メモリカード２の記憶領域に形成されたそれぞれの領域の容量などを表す管理データを生成し、DB４２に記憶させる。
【０１０４】
以上の処理により、メモリカード２の記憶領域には複数の領域が形成される。
【０１０５】
次に、図１３のフローチャートを参照して、録画機器１の転送予約設定処理について説明する。
【０１０６】
この処理も、例えば、図４に示されるような転送予約画面が表示されている状態で行われる。転送予約画面に表示される、メモリカード２の記憶領域を表す帯状の表示は、適宜、DB４２に記憶されている管理データが参照されて表示される。
【０１０７】
ステップＳ１１において、転送予約設定部４４は、ユーザによる指示に応じて番組のデータの転送予約を設定する。例えば、録画予約が設定された番組のリストから所定の番組が選択され、続いて表示される転送予約画面から、その番組のデータの転送先とするメモリカード２の領域が選択されたとき、それが転送予約設定部４４により受け付けられる。転送予約設定部４４は、転送開始時刻を表す情報や、転送先の領域を表す情報などからなる転送予約の内容を表す情報をDB４２に記憶させ、処理を終了させる。
【０１０８】
次に、図１４のフローチャートを参照して、録画機器１の転送処理について説明する。
【０１０９】
ステップＳ２１において、転送実行部４６は、転送対象の番組のデータをDB４２から読み出す。例えば、録画予約が設定されている番組の放送が開始され、HDD２５への録画が開始されたとき、番組データ取得部４３においてもその番組のデータが取得され、DB４２に記憶されて転送実行部４６が番組のデータを読み出すことが可能になる。
【０１１０】
ステップＳ２２において、転送実行部４６は、DB４２に記憶されている、転送予約の内容を表す情報を参照し、転送先としてあらかじめ選択されているメモリカード２の領域に、DB４２から読み出した番組のデータを転送して記憶させる。このとき、転送先の領域に他の番組のデータが既に記憶されている場合、既に記憶されているデータに上書きする形でデータの転送が行われる。設定されている転送予約にしたがって番組のデータの転送を終了したとき、転送実行部４６は処理を終了させる。
【０１１１】
以上のように、ユーザは、録画予約を設定した番組の中から所定の番組を選択したときに表示される転送予約画面から転送先とする領域を選択するだけで、番組の転送予約を設定することができる。
【０１１２】
なお、以上においては、転送予約を設定する際、転送予約画面から転送先とする領域をユーザが選択するものとしたが、転送先の領域の選択は、ユーザによる選択によらずに、録画機器１により自動的に行われるようにしてもよい。
【０１１３】
この場合、録画予約を設定した番組の中からユーザが所定の番組を選択したとき、ユーザにより選択された番組のデータ量に基づいて、その番組のデータ量に適した領域が、メモリカード２に形成されている領域の中から転送予約設定部４４により選択され、選択された領域を転送先とする転送予約が設定される。
【０１１４】
例えば、番組の放送時間が３０分である場合、所定の転送レートで３０分ぶんのデータ量のデータを記憶することが可能な領域がデータの転送先として選択される。このようにして転送先の領域が自動的に選択されたとき、選択された領域に番組のデータを保存することが可能な期間がユーザに提示される。
【０１１５】
また、以上においては、番組のデータの転送元／コピー元となる機器は、録画機器１としたが、DVDレコーダ、サーバ、携帯端末／コピー元などのように、他の機器が転送元／コピー元にされるようにしてもよい。また、番組のデータの転送先となる記憶媒体は、録画機器１のスロットに挿入されたメモリカード２であるとしたが、携帯端末３に内蔵されるハードディスクなどのように、他の記憶媒体が転送先にされるようにしてもよい。
【０１１６】
さらに、以上においては、録画機器１のスロットに挿入されたメモリカード２に番組のデータが転送されるようにしたが、番組のデータの転送方法またはコピー方法は、有線または無線の通信、インターネットなどのネットワーク５１を介して行われるようにしてもよい。
【０１１７】
例えば、図１５に示されるように、録画機器１と携帯端末３が有線または無線の通信を介して、あるいはインターネットなどのネットワーク５１を介して接続される場合、上述したメモリカード２を転送先とするときと同様に、携帯端末３に内蔵されるハードディスクの記憶領域全体がユーザによる指示に応じて複数の領域に分割され、それぞれの領域を転送先とする番組のデータの転送予約が設定される。また、設定された転送予約にしたがって、データの転送が行われる。これによっても、ユーザは、携帯端末３を用いて番組を視聴することができる。
【０１１８】
さらに、以上においては、転送対象となるデータは番組のデータであるとしたが、音楽データ、静止画データなどの様々なデータが転送対象のデータとされるようにしてもよい。
【０１１９】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１２０】
コンピュータにインストールされ、コンピュータによって実行可能な状態とされるプログラムを格納するプログラム記録媒体は、図８に示すように、DVD２７、BD２８、メモリカード２などのリムーバブルメディア、もしくは永続的に格納されるROM１３や、HDD２５などにより構成される。
【０１２１】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１２２】
【図１】本発明の一実施形態に係る録画機器を示す図である。
【図２】メモリカードに形成される領域の例を示す図である。
【図３】ディスプレイに表示される画面の例を示す図である。
【図４】図３の転送予約画面を拡大して示す図である。
【図５】図４の画面からArea２を選択したときに表示される画面の例を示す図である。
【図６】予定保存期間と有効利用度の求め方について説明する図である。
【図７】予定保存期間と有効利用度の求め方について説明する他の図である。
【図８】録画機器のハードウエア構成例を示すブロック図である。
【図９】録画機器の機能構成例を示すブロック図である。
【図１０】管理データの管理形態の例を示す図である。
【図１１】管理データの管理形態の他の例を示す図である。
【図１２】録画機器の領域管理処理について説明するフローチャートである。
【図１３】録画機器の転送予約設定処理について説明するフローチャートである。
【図１４】録画機器の転送処理について説明するフローチャートである。
【図１５】録画機器と携帯端末の接続例を示す図である。
【符号の説明】
【０１２３】
１  録画機器，  ２  メモリカード，  ３  携帯端末，  ４１  表示制御部，  ４２  DB，  ４３  番組データ取得部，  ４４  転送予約設定部，  ４５  領域管理部，  ４６  転送実行部
【図１】
2007156804.tif 000005
【図２】
2007156804.tif 000006
【図３】
2007156804.tif 000007
【図４】
2007156804.tif 000008
【図５】
2007156804.tif 000009
【図６】
2007156804.tif 000010
【図７】
2007156804.tif 000011
【図８】
2007156804.tif 000012
【図９】
2007156804.tif 000013
【図１０】
2007156804.tif 000014
【図１１】
2007156804.tif 000015
【図１２】
2007156804.tif 000016
【図１３】
2007156804.tif 000017
【図１４】
2007156804.tif 000018
【図１５】
2007156804.tif 000019